(57)【特許請求の範囲】
【請求項１】
可動に支持された第１の家具部分（３ａ）を案内するためのガイドシステム（２）であって、前記第１の家具部分（３ａ）は、少なくとも１つの第２の家具部分（３ｂ）に枢着結合されており、レールアセンブリ（１）が設けられており、該レールアセンブリ（１）は、
- 前記家具部分（３ａ，３ｂ）を案内するための、長手方向（Ｌ）を備えたガイドレール（９）と、
- 前記ガイドレール（９）の前記長手方向（Ｌ）に対して横方向に延びる方向（Ｚ）において可動に支持された保持体（１１）と、を含んでおり、前記保持体（１１）は、取付け位置において所定の移送位置に可動であり、該移送位置において前記保持体（１１）は、前記長手方向（Ｌ）において前記ガイドレール（９）に接続しており、これによって、前記家具部分（３ａ，３ｂ）のうちの１つの家具部分に結合可能でかつ前記ガイドレール（９）に沿って可動のガイド装置（１０）が、前記ガイドレール（９）と前記保持体（１１）との間において往復移送可能であり、
当該ガイドシステム（２）は、前記保持体（１１）に結合されたコラム（１４）を有しており、該コラム（１４）は、前記取付け位置において鉛直に配置されていて、かつ前記保持体（１１）と一緒に、前記ガイドレール（９）の前記長手方向（Ｌ）に対して横方向に延びる前記方向（Ｚ）において可動に支持されており、前記第１の家具部分（３ａ）は、前記取付け位置において前記ガイド装置（１０）に可動に結合されていて、かつ前記第２の家具部分（３ｂ）は、前記取付け位置において前記コラム（１４）に可動に結合されている、
ガイドシステム（２）において、
少なくとも１つの蓄力器（２１）によって荷重が加えられかつ前記ガイド装置（１０）と解離可能に連結可能な連行体（２０）を備えた、駆動装置（１２）が設けられており、前記連行体（２０）は、前記保持体（１１）の前記移送位置において、ロック装置（３０）によってロック可能であり、かつ前記連行体（２０）は、前記保持体（１１）内への、または前記保持体（１１）上への前記ガイド装置（１０）の進入によって、ロック解除可能であり、これによって前記連行体（２０）は、該連行体（２０）に連結された前記ガイド装置（１０）と一緒に、前記移送位置を起点として、前記少なくとも１つの蓄力器（２１）の力によって、少なくとも部分的に、前記ガイドレール（９）の前記長手方向（Ｌ）に対して横方向に延びる前記方向（Ｚ）において、引込み可能であり、前記保持体（１１）は、前記移送位置において前記ガイドレール（９）と解除可能にロック可能である
ことを特徴とする、ガイドシステム（２）。
【請求項２】
前記第１の家具部分（３ａ）は、フォールディングドアの第１のドア扉であり、前記第２の家具部分（３ｂ）は、前記フォールディングドアの第２のドア扉である、
請求項１記載のガイドシステム。
【請求項３】
前記連行体（２０）は、第２のガイドレール（１３ａ）に沿って、引込み可能である、
請求項１または２記載のガイドシステム。
【請求項４】
前記ガイドレール（９）は、少なくとも部分的に、前記ガイドレール（９）の前記長手方向（Ｌ）に延びる異形材部分（９ａ）を、前記ガイド装置（１０）を案内するために有している、
請求項１から３までのいずれか１項記載のガイドシステム。
【請求項５】
前記ガイドレール（９）の前記異形材部分（９ａ）は、横断面において、前記保持体（１１）の異形材部分（１１ａ）の、横断面における形状および寸法に相当する、形状および寸法を有している、
請求項４記載のガイドシステム。
【請求項６】
前記ガイド装置（１０）は、少なくとも１つの走行ローラ（１５ａ，１５ｂ）を備えたキャリッジとして形成されており、前記走行ローラ（１５ａ，１５ｂ）は、前記ガイドレール（９）に沿って走行可能に支持されている、
請求項１から５までのいずれか１項記載のガイドシステム。
【請求項７】
前記走行ローラのうちの少なくとも１つの走行ローラ（１５ｂ）は、前記取付け位置において、水平に延びる回転軸を有していて、かつ少なくとも１つの別の走行ローラ（１５ａ）は、前記取付け位置において、鉛直に延びる回転軸を有している、
請求項６記載のガイドシステム。
【請求項８】
当該ガイドシステム（２）は、少なくとも１つの第２のガイドレール（１３ａ）を有しており、該第２のガイドレール（１３ａ）は、前記取付け位置において、前記ガイドレール（９）の前記長手方向（Ｌ）に対して横方向に延びる方向（Ｚ）において取付け可能であり、前記保持体（１１）は、前記第２のガイドレール（１３ａ）に沿って走行可能である、
請求項１から７までのいずれか１項記載のガイドシステム。
【請求項９】
前記保持体（１１）は、少なくとも１つの支持ローラ（１７ａ，１７ｂ）を介して、前記第２のガイドレール（１３ａ）に沿って走行可能である、請求項８記載のガイドシステム。
【請求項１０】
前記長手方向（Ｌ）に延びる前記ガイドレール（９）と、前記方向（Ｚ）において延びる前記第２のガイドレール（１３ａ）とは、前記取付け位置において、高さ方向において互いに間隔をおいて位置している、
請求項８または９記載のガイドシステム。
【請求項１１】
前記コラム（１４）は、前記家具部分のうちの１つの家具部分（３ｂ）を可動に支持するための少なくとも１つの取付け具（１８）を有している、
請求項１から１０までのいずれか１項記載のガイドシステム。
【請求項１２】
少なくとも１つのエジェクト装置（２８）が設けられており、該エジェクト装置（２８）によって前記保持体（１１）は、１つの終端位置を起点として、前記方向（Ｚ）とは逆方向に少なくとも部分的に前記移送位置の方向に可動である、
請求項１から１１までのいずれか１項記載のガイドシステム。
【請求項１３】
請求項１から１２までのいずれか１項記載のガイドシステムを備えた家具。
【請求項１４】
当該家具（３７）は、作動時に位置固定の家具本体（３６）と、前記家具本体（３６）に対して相対的に可動に支持された少なくとも２つの家具部分（３ａ，３ｂ）とを有しており、前記家具部分（３ａ，３ｂ）は、取付け位置において鉛直に延びる回転軸（５ａ）を介して互いに枢着結合されており、前記少なくとも２つの家具部分（３ａ，３ｂ）は、前記ガイドシステム（２）によって、前記家具部分（３ａ，３ｂ）が互いにほぼ同一平面に方向付けられている第１の位置と、前記家具部分（３ａ，３ｂ）が互いにほぼ平行に方向付けられている第２の位置との間において、可動である、
請求項１３記載の家具。
【請求項１５】
前記２つの家具部分（３ａ，３ｂ）は、フォールディングドアのドア扉である、請求項１４記載の家具。
【請求項１６】
当該家具（３７）は、少なくとも１つの側部の挿入空洞（７ａ）を有しており、該挿入空洞（７ａ）内に前記家具部分（３ａ，３ｂ）は、前記第２の位置において収容されている、
請求項１４または１５記載の家具。
【請求項１７】
少なくとも１つの別の家具本体（６）が設けられており、該別の家具本体（６）は、前記家具本体（３６）内に挿入されているか、または前記家具本体（３６）に結合されており、前記別の家具本体（６）は、前記可動の家具部分（３ａ，３ｂ）によって前記第１の位置において覆われていて、かつ前記第２の位置において接近可能である、
請求項１４から１６までのいずれか１項記載の家具。
【発明の詳細な説明】
【技術分野】
【０００１】
本発明は、可動に支持された第１の家具部分、特にフォールディングドアの第１のドア扉を案内するためのガイドシステムであって、第１の家具部分は、少なくとも１つの第２の家具部分、特にフォールディングドアの第２のドア扉に枢着結合されており、レールアセンブリが設けられており、該レールアセンブリは、
- 家具部分を案内するための、長手方向を備えたガイドレールと、
- ガイドレールの長手方向に対して横方向に延びる方向において可動に支持された保持体と、を含んでおり、このとき保持体は、取付け位置において所定の移送位置に可動であり、該移送位置において保持体は、長手方向においてガイドレールに接続しており、これによって、家具部分のうちの１つの家具部分に結合可能でかつガイドレールに沿って可動のガイド装置が、ガイドレールと保持体との間において往復移送可能である、
ガイドシステムに関する。
【０００２】
本発明はさらに、このようなガイドシステムを備えた家具に関する。
【０００３】
欧州特許第０４３３７２６号明細書（EP 0433726 B1）には、取付け位置において鉛直に延びる回転軸を介して互いに枢着結合されているキャビネットドアを案内するためのレールアセンブリが開示されている。このレールアセンブリによって、キャビネットドアは、キャビネットドアが互いに同一平面に方向付けられている第１の位置と、キャビネットドアが互いに平行に方向付けられている第２の位置との間において、可動に支持されており、このときキャビネットドアは、第２の位置において側部の挿入間隙内において収容されている。レールアセンブリは、キャビネットの前面に対して平行に延びる第１のガイドレールと、第１のガイドレールに対して直角に配置された第２のガイドレールとを含んでいる。さらに保持体（図１における符号５）が設けられており、この保持体には、第１のキャビネットドアが枢着的に支持されており、かつ保持体は、ガイドレールを介して、キャビネットの外壁に対して平行に水平方向で移動可能であり、これによって両キャビネットドアは、挿入間隙内に押込み可能である。第２のキャビネットドアには、ガイドエレメント（符号７）が配置されており、このガイドエレメントは、第１のガイドレールに沿って走行可能に支持されている。この構造における欠点としては、ガイドエレメントが第１のガイドレールと第２のガイドレールとの間における直角の移行時に、ガイドレールのＵ字形の脚と衝突し、かつこれによってガイドレール内へのガイドエレメントの走入が阻止される、ということがある。
【０００４】
独国特許出願公開第２４０４８７４号明細書（DE 2404874 A1）には、ローラキャリッジを介してガイドレールに沿って可動に支持されている複数の壁エレメントを備えた部屋仕切り壁が開示されている。壁エレメントが部屋分割のためにもはや不要である場合に、これらの壁エレメントは、マガジン内に梱包することができる。そのためにマガジンは、複数のレール部分を有しており、これらのレール部分は、クロスビームに沿って可動である。それぞれの壁エレメントには、このようなレール部分が対応配置されており、このときレール部分は、選択的に、ガイドレールと整合する位置に位置決め可能であり、ひいてはガイドレールからレール部分への壁エレメントの移送を可能にする。つまり壁エレメントは、不使用時に、そのローラキャリッジを介してそれぞれ個々に、異なったレール部分へと移送され、このとき壁エレメントは、相前後して位置している互いに平行な位置において、マガジン内に可動である。この公知の構成における欠点は、マガジンの幅が壁エレメントの幅よりも大きくなくてはならないことに基づいて、構造コストが高騰し、かつ所要スペースが大きいことにある。
【０００５】
本発明の課題は、冒頭に述べた形式のガイドシステムを改良して、上において議論した欠点を回避することができるガイドシステムを提供することである。
【０００６】
この課題は、本発明によれば請求項１の特徴によって解決される。本発明の別の好適な構成は、従属請求項に記載されている。
【０００７】
つまり本発明によれば、ガイドシステムは、保持体に結合されたコラムを有しており、該コラムは、取付け位置において鉛直に配置されていて、かつ保持体と一緒に、ガイドレールの長手方向に対して横方向に延びる方向において可動に支持されており、このとき第１の家具部分は、取付け位置においてガイド装置に可動に結合されていて、かつ第２の家具部分は、取付け位置においてコラムに可動に結合されていることが提案されている。
【０００８】
言い換えれば、保持体はガイドレールに接続されていて、家具部分に結合されたガイド装置は、保持体内に走入することができるか、または保持体上に乗り上げることができるようになっており、このとき保持体は、ガイド装置の走入または乗上げが行われた後で、ガイド装置と一緒に、ガイドレールの長手方向に対して横方向に延びる方向において可動である。これに対して保持体が、ガイド装置と一緒に、ガイドレールに対して相対的に離れた位置にある場合には、保持体は同様に移送位置に移動することができ、これによってガイド装置は、保持体を起点として、再びガイドレールへと戻り移動可能である。つまり保持体は、ガイドレールとは無関係に独立して形成されており、かつ移送位置において、好ましくはガイドレールと同じ高さにあり、これによってガイド装置は、鉛直移動を実施することなしに、ガイドレールと保持体との間において移送可能である。このような構成の代わりに、ガイド装置は、高さ補償装置を介して、例えば少なくとも１つの斜めに延びるランプを介して、ガイドレールと保持体との間において往復移動可能である構成も可能である。
【０００９】
１つの実施形態によれば、少なくとも１つの蓄力器によって荷重が加えられかつガイド装置と解離可能に連結可能な連行体を備えた、駆動装置が設けられていてよく、このとき連行体は、保持体の移送位置においてロックされており、これによってガイドレールの長手方向に対して横方向に延びる方向における、連行体の移動が阻止されている。連行体は、保持体内への、または保持体上へのガイド装置の進入によって、ロック解除可能であり、これによって連行体は、該連行体に連結されたガイド装置と一緒に、駆動装置の少なくとも１つの蓄力器の力によって、少なくとも部分的に、ガイドレールの長手方向に対して横方向に延びる方向において、好ましくは第１のガイドレールに対して横方向に延びる第２のガイドレールに沿って、引込み可能である。このとき駆動装置は、純粋に機械式に、つまり電気式の駆動装置なしに、もしくは他の電気的な構成部材なしに構成されていてよい。
【００１０】
次に本発明のさらなる詳細および利点について、図面を参照しながら詳説する。
【図面の簡単な説明】
【００１１】
【図１ａ】互いに枢着結合された家具部分を移動させるためのガイドシステムを示す斜視図である。
【図１ｂ】互いに枢着結合された家具部分を移動させるためのガイドシステムを示す拡大図である。
【図２ａ】保持体に位置しているガイド装置を示す図である。
【図２ｂ】図２ａに示されたガイド装置の一部を拡大して示す図である。
【図３ａ】ガイドシステムを示す側面図である。
【図３ｂ】図３ａに示されたガイドシステムの一部を拡大して示す図である。
【図４ａ】保持体の引込み動作を１つの位置において示す図である。
【図４ｂ】図４ａに示された保持体の一部を拡大して示す図である。
【図４ｃ】保持体の引込み動作を、図４ａに連続する別の位置において示す図である。
【図４ｄ】図４ｃに示された保持体の一部を拡大して示す図である。
【図５ａ】図４ａ〜図４ｄを起点とした、保持体の継続される１つの位置を示す図である。
【図５ｂ】図５ａに示された保持体の一部を拡大して示す図である。
【図５ｃ】保持体の、図５ａに連続する別の位置を示す図である。
【図５ｄ】図５ｃに示された保持体の一部を拡大して示す図である。
【図６ａ】押出し動作を１つの位置において示す図である。
【図６ｂ】図６ａに示された押出し動作を、一部を拡大して示す図である。
【図６ｃ】押出し動作を、図６ａに連続する別の位置において示す図である。
【図６ｄ】図６ｃに示された押出し動作を、一部を拡大して示す図である。
【図７ａ】保持体とガイドレールとの間における解離可能なロック装置の可能な実施形態を、１つの位置において示す図である。
【図７ｂ】図７ａに示された位置に連続する別の位置を示す図である。
【図８ａ】図７ａ、図７ｂを起点としてさらに続く位置を示す図である。
【図８ｂ】図８ａに示された位置に連続する別の位置を示す図である。
【図９ａ】可動の家具部分を備えた家具を、第１の位置において示す図である。
【図９ｂ】可動の家具部分を備えた家具を、第２の位置において示す図である
【図１０ａ】第１の位置における保持体を備えたガイドシステムを示す図である。
【図１０ｂ】図１０ａに示されたガイドシステムの一部を拡大して示す図である。
【図１１ａ】第２の位置における保持体を備えたガイドシステムを示す図である。
【図１１ｂ】図１１ａに示されたガイドシステムの一部を拡大して示す図である。
【図１２ａ】ガイドレールに可動に支持されたガイド装置を示す斜視図である。
【図１２ｂ】ガイドレールに可動に支持されたガイド装置を示す横断面図である。
【００１２】
図１ａには、好ましくはフォールディングドアの第１のドア扉として形成された第１の家具部分３ａを案内するための、レールアセンブリ１を有するガイドシステム２の可能な使用形態が示されており、このとき第１の家具部分３ａは、取付け状態において鉛直に延びる軸５ａを介して、第２のドア扉として形成された第２の家具部分３ｂに枢着結合されている。追加的にまた少なくとも２つの別の家具部分４ａ，４ｂが設けられていてよく、これらの家具部分４ａ，４ｂは、同様に鉛直に延びる軸５ｂを介して互いに旋回可能に結合されている。ガイドシステム２は、例えば部屋分割システムとして使用することができるので、居住空間において、キッチンブロック、事務所のニッチ、物置、棚等として形成された、図１ａに示されている家具本体６を、家具部分３ａ，３ｂ，４ａ，４ｂによって完全に覆うこと、ひいては居住空間の残りの領域から視覚的に切り離すことができる。しかしながらまたガイドシステム２は、例えばウォークインキャビネットのようなキャビネットシステムのためにも使用することができる。機能形式については、以下において家具部分３ａ，３ｂを参照しながら説明する。なおこのとき家具部分４ａ，４ｂに対しても同じことが言える。
【００１３】
家具部分３ａ，３ｂは、ガイドシステム２によって、家具部分３ａ，３ｂが互いにほぼ同一平面に方向付けられていてかつこのとき家具本体６を覆う第１の位置と、家具部分３ａ，３ｂが互いにほぼ平行に方向付けられている第２の位置との間において可動である。この第２の位置において家具本体６に、人が接近可能であり、このとき両家具部分３ａ，３ｂは、側壁８ａのそばで側部に存在する挿入空洞７ａ内に、スペースを節約して収容可能である（他の家具部分４ａ，４ｂのための左側の挿入空洞７ｂは、図面から良好に認識することができる。）。
【００１４】
レールアセンブリ１は、家具部分３ａ，３ｂを案内するための、長手方向（Ｌ）を備えたガイドレール９を含んでいる。このガイドレール９は、例えば部屋天井、部屋壁、または家具本体にも、好ましくは家具本体６の前面に対して平行に固定することができる。
【００１５】
図１ｂには、図１ａにおいて丸く囲まれた領域が拡大図で示されている。第１の家具部分３ａは、ガイド装置１０に結合されており、このガイド装置１０によって家具部分３ａ，３ｂは、ガイドレール９に沿って可動に支持されている。図面から認識できるように、ガイドレール９とは別体の、走行可能なキャリッジとして形成された保持体１１が、設けられており、この保持体１１は、長手方向（Ｌ）における１つの移送位置において第１のガイドレール９に接続されていて、第１の家具部分３ａに結合されたガイド装置１０が、第１のガイドレール９と保持体１１との間において往復移送可能であるようになっている。ガイド装置１０は、横方向力を受け止めるための鉛直の回転軸を備えた少なくとも１つの第１の走行ローラ１５ａと、鉛直方向力を受け止めるための水平な回転軸を備えた少なくとも１つの第２の走行ローラ１５ｂとを有しており、このとき走行ローラ１５ａ，１５ｂは、ガイドレール９の、長手方向（Ｌ）に延びる異形材部分９ａに沿って、可動に支持されている。保持体１１は同様に異形材部分１１ａを有しており、この異形材部分１１ａは、横断面において異形材部分９ａの形状および寸法に対応する横断面を備えており、これによってガイド装置１０は、ガイドレール９と保持体１１との間において往復移送可能である。保持体１１は、例えば、走行ローラ１５ａ，１５ｂを案内するための、長手方向（Ｌ）に延びる少なくとも２つのガイド通路１６ａ，１６ｂを有することができる。
【００１６】
ガイドレール９に沿って直線的に移動可能なガイド装置１０は、保持体１１の図示の移送位置において、なおガイドレール９に位置している。保持体１１は、移送位置において例えばロック装置３０（図７ａ、図７ｂ）によって、ガイドレール９と解離可能にロック可能であり、このときこのロックは、保持体１１内へのガイド装置１０の走入、または保持体１１上へのガイド装置１０の乗上げによって解離可能である。ロック解除が行われた後で、保持体１１は、ガイド装置１０および両家具部分３ａ，３ｂと一緒に、ガイドレール９の長手方向（Ｌ）に対して横方向、好ましくは垂直に延びる方向（Ｚ）で、水平方向に可動である。保持体１１は、鉛直に延びるコラム１４に結合されており、このコラム１４は、方向（Ｚ）において可動であり、かつ駆動装置１２によって少なくとも部分的に、方向（Ｚ）において駆動可能である。コラム１４は、取付け位置においてガイドレール９から高さ方向で間隔をおいて位置している第２のガイドレール１３ａ，１３ｂに沿って、方向（Ｚ）において可動である。
【００１７】
図２ａには家具部分３ａ，３ｂが、図１ａを起点として鉛直の軸５ａを中心にして互いに旋回させられ、かついまや互いにほぼ平行な位置をとっている状態で示されている。図２ｂには、図２ａにおいて丸く囲まれた領域が拡大図で示されており、このときガイド装置１０は、いまや移送位置にある保持体１１に位置している。このとき保持体１１の、長手方向（Ｌ）において測定された長さが、ガイド装置１０の、長手方向（Ｌ）において測定された幅よりも大きいことが提案されていてよい。ガイドレール９の異形材部分９ａと保持体１１の異形材部分１１ａとは、横断面において好ましくは同一に形成されていて、かつ移送位置において互いに整合するように方向付けられており、これによってガイド装置１０の走行ローラ１５ａ，１５ｂは、不都合な当接縁なしに、ガイドレール９と保持体１１との間において往復移動可能である。図２ｂに示された位置を起点として、保持体１１はガイド装置１０と一緒に（ひいては家具部分３ａ，３ｂも）、駆動装置１２によって少なくとも部分的に方向（Ｚ）において駆動可能である。
【００１８】
図３ａには、移送位置にある保持体１１が側面図で示されており、この保持体１１は、鉛直に延びるコラム１４に結合されている。コラム１４は、保持体１１と一緒に、例えば支持ローラ１７ａ，１７ｂを介して、側壁８ａに固定された第２のガイドレール１３ａ，１３ｂに沿って方向（Ｚ）において走行可能である。コラム１４には、家具部分３ｂを可動に支持するための少なくとも１つの取付け具１８と、コラム１４に対して相対的に位置固定の支持部分２４とが配置されており、この支持部分２４には、駆動装置１２の、少なくとも１つの、好ましくは複数の蓄力器２１が、方向（Ｚ）において家具部分３ａ，３ｂを引き込むために固定されている。蓄力器２１は、図示の図面において、引張りばねとして形成されており、これらの引張りばねは、コラム１４に回転軸１９を中心にして旋回可能に支持された連行体２０に作用する。連行体２０には、押圧ローラ２２が回転可能に支持されており、この押圧ローラ２２は、蓄力器２１の力によって、駆動装置１２の、凹面状に形成された制御カム２３に押圧可能であり、かつ方向（Ｚ）におけるコラム１４の移動時にこの制御カム２３に沿って走行可能である。制御カム２３は、方向（Ｚ）における保持体１１の部分的な引込みのための引込み部分２３ａと、引込み部分２３ａに接続していて蓄力器２１をチャージ（蓄力）するための緊張部分２３ｂとを含んでいる。図３ａにおいて蓄力器２１は、緊張させられた状態にあり、これによってコラム１４（ひいては保持体１１）は、保持体１１がガイドレール９からロック解除された後で、弛緩する蓄力器２１の力によって引込み部分２３ａに沿って、制御カム２３の最深領域に至るまで引込み可能である。これによって家具部分３ａ，３ｂもまた、部分的に挿入空洞７ａ内に引き込まれ、これによって家具部分３ａ，３ｂは、方向（Ｚ）における挿入空洞７ａ内への継続される移動のために、好適に予備位置決めされる。次いで、回転軸５ａの領域において互いに平行に方向付けられた家具部分３ａ，３ｂに手によって押圧力を加えることによって、コラム１４（ひいては押圧ローラ２２）は、さらに方向（Ｚ）において制御カム２３の緊張部分２３ｂに沿って移動させられ、このとき蓄力器２１は再びチャージ（蓄力）される。連行体２０の押圧ローラ２２が、制御カム２３の終端領域２３ｃに達すると、蓄力器２１は完全にチャージ（蓄力）され、これによって家具部分３ａ，３ｂは、挿入空洞７ａ内に完全に挿入された位置を起点として、蓄力器２１によって方向（Ｚ）とは逆方向の走出移動時に、少なくとも部分的に方向（Ｚ）とは逆方向に可動である。さらに、回転軸２５ａを中心にして旋回可能な、調節輪郭２５ｃを備えた切換え装置２５が設けられており、このとき押圧ローラ２２は、上に述べた押し込まれた位置を起点として、方向（Ｚ）とは逆方向の移動時に、切換え装置２５の調節輪郭２５ｃに沿って走行可能である。これによって、蓄力器２１によって予荷重が加えられた押圧ローラ２２は、方向（Ｚ）とは逆方向の移動時に、制御カム２３の邪魔な引込み部分２３ａを克服する必要がなくなり、これによってつまり引込み部分２３ａは、押圧ローラ２２によって迂回可能であり、かつ蓄力器２１の力は、比較的長い区間にわたって維持されたままになる。図３ｂには、図３ａにおいて丸く囲まれた領域が拡大図で示されている。
【００１９】
図４ａには、方向（Ｚ）におけるコラム１４（ひいては保持体１１）の継続される移動が示されている。支持部分２４に対して、引込み部分２３ａ（図３ａ）における制御カム２３の減少する間隔によって、蓄力器２１は弛緩させられ、かつこのときコラム１４もしくは保持体１１を方向（Ｚ）において引っ張る。図４ｂには、図４ａにおいて丸く囲まれた領域が拡大図で示されている。押圧ローラ２２が制御カム２３の最深領域に達すると、押圧ローラ２２は、可動の家具部分３ａ，３ｂに手によって力を加えることによって、制御カム２３の緊張部分２３ｂに移動させられ、これによって蓄力器２１は、再びチャージ（蓄力）可能である。このとき回転軸２５ａを中心にして旋回可能な切換え装置２５は、押圧ローラ２２によって持ち上げられ（図４ｃ）、これによって押圧ローラ２２は、方向（Ｚ）における移動時に、妨げられずに切換え装置２５のそばを通過走行し、かつさらに緊張部分２３ｂに沿って可動である。回転軸２５ａを中心にした切換え装置２５の偏心的な枢着によって、異なった長さのレバーアームを備えた２腕状のレバーが形成され、これによって切換え装置２５は長い方のレバーアームで、好ましくは重力によって荷重が加えられて、制御カム２３の緊張部分２３ｂにルーズに接触している。好適な場合には、切換え装置２５は、またばねエレメントによって制御カム２３に押圧されてもよい。図４ｄには、図４ｃにおいて丸く囲まれた領域が拡大図で示されている。
【００２０】
図５ａには、挿入空洞７ａ内に完全に挿入された終端位置への到達直前における、コラム１４の位置が示されている。押圧ローラ２２は、制御カム２３の緊張部分２３ｂに沿って移動させられており、かつ制御カム２３の、水平に延びる終端領域２３ｃの直前に位置しており、これによってコラム１４は、方向（Ｚ）においても、方向（Ｚ）とは逆方向においても加速されない。このとき蓄力器２１は、完全にチャージ（蓄力）されている。コラム１４にはハウジング２９が配置されており、このハウジング２９内には、コラム１４もしくは保持体１１の閉鎖移動を緩衝するための緩衝装置２７が配置されている。緩衝装置２７は、図示の実施形態では、互いに平行に入れ子式に配置された、好ましくは液圧式の２つのリニアダンパを含んでおり、両リニアダンパは、それぞれ１つのピストンシリンダユニットを備えている。これらのリニアダンパは、コラム１４の閉鎖移動の終了時に定置のストッパ２６に衝突し、これによってリニアダンパのプランジャは押し込まれ、ひいてはコラム１４の移動が制動可能である。さらにハウジング２９内には、それぞれ１つのロック可能な蓄力器を備えた２つのエジェクト装置２８が配置されており、このときエジェクト装置２８の両プランジャは、コラム１４の閉鎖移動時にストッパ２６と共働し、これによってエジェクト装置２８の蓄力器は、チャージ（蓄力）可能であり、かつチャージされた状態においてロック可能である。図５ｂには、図５ａにおいて丸く囲まれた領域が拡大図で示されている。
【００２１】
図５ｃには、コラム１４の終端位置が示されており、このときコラム１４の最後の閉鎖移動は、緩衝装置２７によって制動されており、かつエジェクト装置２８のロック可能な蓄力器はチャージ（蓄力）されている。コラム１４をその閉鎖位置を起点として、閉鎖位置の後ろに位置している過剰押圧位置に過剰押圧することによって、エジェクト装置２８はロック解除位置に可動であり、その後でコラム１４は、エジェクト装置２８の力によって、かつ次いでチャージされた蓄力器２１の力によって、再び方向（Ｚ）とは逆方向に駆動可能である。図５ｄには、図５ｃにおいて丸く囲まれた領域が拡大図で示されている。
【００２２】
図６ａには、エジェクト装置２８によって方向（Ｚ）とは逆方向に押し出された後におけるコラム１４の位置が示されている。このとき押圧ローラ２２は、切換え装置２５上に乗り上げる位置にあり、このとき押圧ローラ２２は、方向（Ｚ）とは逆方向の移動時には、もはや引込み部分２３ａに沿ってではなく、切換え装置２５に配置された、または形成された調節輪郭２５ｃに沿って走行可能である。このようにして、コラム１４もしくは家具部分３ａ，３ｂの、均一に走行する押出し動作が、蓄力器２１の力の大きな変動なしに生ぜしめられ、このとき蓄力器２１の力は、比較的長い区間にわたって維持されたままになる。図６ｂには、図６ａにおいて丸く囲まれた領域が拡大図で示されており、このとき押圧ローラ２２は、方向（Ｚ）とは逆方向のコラム１４の移動時に、切換え装置２５の調節輪郭２５ｃ上に乗り上げており、このとき押圧ローラ２２は、引込み部分２３ａの凹部に沿って走行する必要はない。
【００２３】
図６ｃには、方向（Ｚ）とは逆方向のコラム１４の継続される移動が示されており、このとき押圧ローラ２２は、切換え装置２５の調節輪郭２５ｃに沿って移動させられており、かつ切換え装置２５は、回転軸２５ａを中心にして反時計回り方向に旋回させられている。回転軸２５ａを中心にした切換え装置２５のこの旋回移動によって、押圧ローラ２２は、再び引込み部分２３ａの開始領域上に戻される。押圧ローラ２２が、切換え装置２５の調節輪郭２５ｃから再び離脱した後で、切換え装置２５は回転軸２５ａを中心にして再び出発位置に、つまり切換え装置２５の比較的長いレバーアームがその比較的大きな重量に基づいて再び制御カム２３に接触している位置に、戻り旋回する。
【００２４】
図７ａおよび図７ｂには、ロック装置３０の可能な実施形態が示されており、このロック装置３０によって保持体１１は、移送位置もしくは停止位置においてガイドレール９とロック可能であり、かつロック装置３０は、保持体１１内または保持体１１上へのガイド装置１０の走入によってロック解除可能である。家具部分３ａは、ガイド装置１０に結合されており、このガイド装置１０は、長手方向（Ｌ）においてガイドレール９に沿って可動である。ガイド装置１０には、スライド部材３３が移動連結されて結合されており、これによってガイドレール９に沿ったガイド装置１０の移動時に、スライド部材３３も一緒に移動する。スライド部材３３は、突出部３３ａを有しており、この突出部３３ａは、保持体１１内または保持体１１上への走入時に、連結レバー３５の対応ストッパ３５ａと共働する（図７ｂ）。連結レバー３５は、回転軸３１を中心にして回転可能に支持されており、このとき連結レバー３５によって係止エレメント３５ｃが可動であり、この係止エレメント３５ｃは、ロック位置において、ガイドレール９の対応する切欠き３４内に係合し、かつこのとき保持体１１をガイドレール９に対して相対的にロックする。このとき、連結レバー３５は係止エレメント３５ｃと一緒に一体に形成することが可能である。連結レバー３５には、ばね（図示せず）によってロック位置の方向に予荷重が加えられていてよく、これによって保持体１１は、方向（Ｚ）とは逆方向の移動時に、このばねの力によって再び自動的にガイドレール９とロック可能であり、かつガイド装置１０は、保持体１１を起点としてガイドレール９上に戻り移送可能である。
【００２５】
図８ａおよび図８ｂには、ガイド装置１０に移動連結されたスライド部材３３の、長手方向（Ｌ）における継続される移動が示されており、このときスライド部材３３の突出部３３ａは、連結レバー３５の対応ストッパ３５ａと共働していて、ひいては連結レバー３５を、回転軸３１を中心にして旋回させ、これによって係止エレメント３５ｃは、ガイドレール９の切欠き３４から進出移動させられ、かつ保持体１１は、方向（Ｚ）における移動のためにガイドレール９に対して解放される。保持体１１は、ロック解除が行われた後で、コラム１４と一緒に、上に記載した駆動装置１２の蓄力器２１の力によって、少なくとも部分的に方向（Ｚ）において引き込まれることができ、このときスライド部材３３に回転可能に支持されたスペーサローラ３２は、方向（Ｚ）において保持体１１を側方に案内するために、側壁８ａに沿って転動可能である。
【００２６】
図９ａおよび図９ｂには、図１ａに示された家具３７が示されており、この家具３７は、作動時において位置固定の家具本体３６と、家具本体３６に対して相対的に可動に支持された少なくとも２つの家具部分３ａ，３ｂ、特にフォールディングドアのドア扉とを有しており、これらの家具部分３ａ，３ｂは、取付け位置において鉛直に延びる回転軸５ａを介して互いに枢着結合されている。少なくとも２つの家具部分３ａ，３ｂは、ガイドシステム２によって、家具部分３ａ，３ｂが互いにほぼ同一平面に方向付けられている第１の位置（図９ｂ）と、家具部分３ａ，３ｂがそれぞれ互いにほぼ平行に方向付けられている第２の位置（図９ａ）との間において可動である。このとき家具３７は、少なくとも１つの側部の挿入空洞７ａ，７ｂを有することができ、この挿入空洞７ａ，７ｂ内に家具部分３ａ，３ｂ，４ａ，４ｂは、第２の位置において収容可能である。示された図面においては、少なくとも１つの別の家具本体６が設けられており、この家具本体６は、家具本体３６内に挿入されているか、または家具本体３６に結合されており、このとき別の家具本体６は、可動の家具部分３ａ，３ｂ，４ａ，４ｂによって第１の位置において覆われており、かつ第２の位置において接近可能である。家具部分３ａ，３ｂは、ガイド装置１０を介してガイドレール９に対して相対的に走行可能であり、これに対して家具部分４ａ，４ｂは、別体のガイド装置１０ａを介して、同じガイドレール９に沿って移動可能である。
【００２７】
図１０ａには、ガイドシステム２のレールアセンブリ１が示されており、このとき保持体１１は、記載されたロック装置３０によってガイドレール９とロック可能であり、かつ移送位置を起点として、長手方向（Ｌ）に対して横方向に延びる方向（Ｚ）において移動可能である。部分的に挿入空洞７ａを形成することができる側壁８ａには、保持体１１に結合されたコラム１４を移動可能に支持するための第２のガイドレール１３ａ，１３ｂと、回転軸２５ａを中心にして旋回可能な切換え装置２５を備えた駆動装置１２とが固定されている。
【００２８】
図１０ｂには、図１０ａにおいて丸く囲まれた領域が拡大図で示されており、このとき保持体１１は、既に移送位置から進出移動させられており、かつ僅かに方向（Ｚ）において移動させられている。方向（Ｚ）とは逆方向における保持体１１の移動を制限するために、保持体１１に配置された少なくとも１つのストッパエレメント３８が設けられており、このストッパエレメント３８は、ガイドレール９の対応ストッパ３９に当接することができ、ひいては方向（Ｚ）とは逆方向における保持体１１のさらなる移動を阻止する。保持体１１もしくはコラム１４を案内するために、少なくとも１つの支持ローラ１７ａが設けられていてよく、この支持ローラ１７ａは、第２のガイドレール１３ａに配置された、または形成された走行ウェブに沿って転動可能である。図面においては、コラム１４に支持された緩衝装置２７を認識することができ、この緩衝装置２７は、コラム１４の移動を緩衝するために、移送位置から離れた終端位置領域内に設けられている。
【００２９】
図１１ａには保持体１１が、ガイドレール９から離された位置において示されており、この位置は、挿入空洞７ａ内に完全に押し込まれた家具部分３ａ，３ｂの位置に相当する。図１１ａに示された位置を起点として、家具部分３ａ，３ｂは、ここでは見えないエジェクト装置２８によって、方向（Ｚ）とは逆方向に可動である。図１１ｂには、図１１ａにおいて丸く囲まれた領域が拡大図で示されている。
【００３０】
図１２ａには、ガイドレール９に可動に支持されたガイド装置１０が斜視図で示されている。ガイド装置１０は、鉛直に延びる回転軸と水平に延びる回転軸とを備えた複数の走行ローラ１５ａ，１５ｃ，１５ｄ，１５ｅを有することができ、このとき走行ローラ１５ａ，１５ｃ，１５ｄ，１５ｅは、ガイドレール９の異形材部分９ａに沿って走行可能に支持されている。ガイド装置１０は、保持アーム４０を含んでおり、このとき家具部分３ａに固定されるべき取付け具４１は、取付け位置において鉛直に延びる回転軸４４を介して、保持アーム４０に旋回可能に結合されている。取付け具４１は、家具部分３ａにおける固定のために複数の固定箇所４２ａ，４２ｂを有している。
【００３１】
図１２ｂには、ガイドレール９に可動に支持されたガイド装置１０が横断面図で示されている。ガイドレール９は、横断面で見て複数の中空室４３を有しており、これらの中空室４３は、異形材ウェブによって互いに隔てられている。走行ローラ１５ａ，１５ｃ，１５ｄ，１５ｅは、ガイドレール９に沿って走行可能であり、このとき家具部分３ａに固定されるべき取付け具４１は、鉛直に延びる回転軸４４を介して、保持アーム４０に旋回可能に結合されている。
【符号の説明】
【００３２】
１  レールアセンブリ
２  ガイドシステム
３ａ，３ｂ  家具部分
４ａ，４ｂ  家具部分
５ａ，５ｂ  鉛直の回転軸
６  家具本体
７ａ，７ｂ  挿入空洞
８ａ，８ｂ  側壁
９  ガイドレール
９ａ  異形材部分  ガイドレール
１０  ガイド装置
１１  保持体
１１ａ  異形材部分  保持体
１２  駆動装置
１３ａ，１３ｂ  第２のガイドレール
１４  コラム
１５ａ，１５ｂ，１５ｃ，１５ｄ，１５ｅ  走行ローラ
１６ａ，１６ｂ  ガイド通路
１７ａ，１７ｂ  支持ローラ
１８  取付け具
１９  回転軸  連行体
２０  連行体
２１  蓄力器
２２  押圧ローラ
２３  制御カム
２３ａ  引込み部分  制御カム
２３ｂ  緊張部分  制御カム
２３ｃ  終端領域  制御カム
２４  支持部分
２５  切換え装置
２５ａ  回転軸  切換え装置
２５ｃ  調節輪郭  切換え装置
２６  定置のストッパ
２７  緩衝装置
２８  エジェクト装置
２９  ハウジング
３０  ロック装置
３１  回転軸  連結レバー
３２  スペーサローラ
３３  スライド部材
３３ａ  突出部  スライド部材
３４  切欠き  ガイドレール
３５  連結レバー
３５ａ  対応ストッパ  連結レバー
３５ｃ  係止エレメント  連結レバー
３６  家具本体
３７  家具
３８  ストッパエレメント  保持体
３９  対応ストッパ  ガイドレール
４０  保持アーム  ガイド装置
４１  取付け具  ガイド装置
４２ａ，４２ｂ  固定箇所  ガイド装置
４３  中空室  ガイドレール
４４  回転軸  取付け具
【図１ａ】
0006980019.tif 000002
【図１ｂ】
0006980019.tif 000003
【図２ａ】
0006980019.tif 000004
【図２ｂ】
0006980019.tif 000005
【図３ａ】
0006980019.tif 000006
【図３ｂ】
0006980019.tif 000007
【図４ａ】
0006980019.tif 000008
【図４ｂ】
0006980019.tif 000009
【図４ｃ】
0006980019.tif 000010
【図４ｄ】
0006980019.tif 000011
【図５ａ】
0006980019.tif 000012
【図５ｂ】
0006980019.tif 000013
【図５ｃ】
0006980019.tif 000014
【図５ｄ】
0006980019.tif 000015
【図６ａ】
0006980019.tif 000016
【図６ｂ】
0006980019.tif 000017
【図６ｃ】
0006980019.tif 000018
【図６ｄ】
0006980019.tif 000019
【図７ａ】
0006980019.tif 000020
【図７ｂ】
0006980019.tif 000021
【図８ａ】
0006980019.tif 000022
【図８ｂ】
0006980019.tif 000023
【図９ａ】
0006980019.tif 000024
【図９ｂ】
0006980019.tif 000025
【図１０ａ】
0006980019.tif 000026
【図１０ｂ】
0006980019.tif 000027
【図１１ａ】
0006980019.tif 000028
【図１１ｂ】
0006980019.tif 000029
【図１２ａ】
0006980019.tif 000030
【図１２ｂ】
0006980019.tif 000031